(57)【特許請求の範囲】
【請求項１】
半導体化ＤＡＡを有し回線を制御する回線インターフェイス部と、回線網を介して送受信する信号を変復調する変復調手段と、その変復調手段により変換された信号から発信者の発信者情報を取得する発信者情報取得手段と、その発信者情報取得手段により取得された前記発信者情報に応じた表示を行う表示手段とを備えた通信装置において、
前記発信者情報の送信を通知する情報受信端末起動信号を検出する情報受信端末起動信号検出手段と、
その情報受信端末起動信号検出手段により情報受信端末起動信号を検出した場合は、前記変復調手段を発信者情報を受信する発信者情報信号受信モードに設定すると共に、前記発信者情報の受信を終了した場合は、前記発信者情報信号受信モードを設定前のモードに戻す設定手段と、
前記回線が閉結されている時に発生する瞬断を検出する瞬断検出手段と、
前記発信者情報に相当するＦＳＫ信号に含まれるマークビットの受信中に、その瞬断検出手段により瞬断の発生が検出される場合に前記変復調手段を前記発信者情報信号受信モードに再設定する再設定手段とを備え、
前記瞬断検出手段は、
前記半導体化ＤＡＡに設けられ回線電流を検出する検出回路と、
前記検出回路により検出される回線電流が所定時間以上継続して異常な値である場合、瞬断であると判断する判別手段とを備えていることを特徴とする通信装置。
【請求項２】
前記情報受信端末起動信号検出手段は、通話中に通話相手とは異なる第三者からの着信があった場合にその第三者の発信者情報の送信を通知する情報受信端末起動音を、前記情報受信端末起動信号として検出するものである請求項１記載の通信装置。
【請求項３】
前記情報受信端末起動信号検出手段により情報受信端末起動信号を検出した場合に、回線閉結により一次応答信号を送出する一次応答信号送出手段と、
その一次応答信号送出手段により一次応答信号を送出した時から所定の遅延時間を計時する遅延時間計時手段とを備え、
前記設定手段は、前記遅延時間計時手段が遅延時間を計時した時に前記変復調手段を発信者情報を受信する発信者情報信号受信モードに設定することを特徴とする請求項１または２に記載の通信装置。
【請求項４】
前記遅延時間を任意の時間に設定する遅延時間設定手段を備え、
前記遅延時間計時手段は、前記遅延時間設定手段により設定された遅延時間を計時することを特徴とする請求項３記載の通信装置。
【発明の詳細な説明】
【技術分野】
【０００１】
本発明は、通信装置に関し、特に回線に瞬断が発生した場合においても発信者の発信者情報に応じた表示を行うことができる通信装置に関するものである。
【背景技術】
【０００２】
電話機やファクシミリ装置には、着信時に発信者の電話番号または発信者名などの発信者情報を表示するナンバーディスプレイやネームディスプレイと呼ばれる機能がある。この機能により、受信者は、着信があった際に電話に出る前に発信者を知ることができ、それにより話をする心の準備ができたり、相手によっては受信を拒否することができる。また、電話に出られなかった場合や、留守録にメッセージが残っていない場合でも、発信者情報の記録が残され、簡単な操作でかけ直すことができる。
【０００３】
このナンバーディスプレイ機能は、図６に示す通信手順で行われる。即ち、図６に示すように、発信元で発呼が行われると、加入者線交換機（以下、交換機と略す）において電話回線を流れる電流の極性の反転を行った後、０．１秒以上の所定時間経過したとき、交換機から情報受信端末（以下、端末と略す）へ情報受信端末起動信号（ＣＡＲ）が送信される。このＣＡＲ信号は、０．５秒のオフ時間をおいて０．５秒ずつ断続的に発信される１６Ｈｚの信号である。
【０００４】
着信側の端末は、ＣＡＲ信号を検出すると、電話回線を閉結して交換機との間で直流ループを形成するとともに、Ｖ．２１規格による通信からＦＳＫ（Frequency Shift Keying）信号を受信するＩＴＵ−Ｔ勧告Ｖ．２３規格による通信に切替える。
【０００５】
交換機は、この直流ループの形成を一次応答信号として検出し、極性の反転を行ってから６秒以内に端末から一次応答信号を受信した場合、ＩＴＵ−Ｔ勧告Ｖ．２３に準拠した信号により、発信者情報を送信する。
【０００６】
着信側の端末は、交換機からの発信者情報の受信を完了すると、Ｖ．２１規格による通信に戻し、電話番号などの発信者情報を表示器に表示するとともに、電話回線を一旦開放して直流ループを切断する。この直流ループの切断が電話番号データの受信完了信号として交換機で検出されると、交換機から一般的な呼出信号が送出される。
【０００７】
この呼出信号は、２秒のオフ時間をおいて１秒ずつ断続的に発信される１６Ｈｚの信号である。交換機は、この呼出信号を送信している間、発信元に対してリングバックトーン（ＲＢＴ）を送信する。
【０００８】
ここで、着信側の端末が電話機である場合は、電話機は交換機からの呼出信号によって鳴動され、使用者が電話機のハンドセットをオフフックすると、再度電話回線が閉結され、交換機との間で直流ループが形成される。この直流ループが二次応答信号として交換機で検出されると、先に反転された電話回線の極性が交換機において復極された後、通話が行われる。
【０００９】
また、通話中に着信があったときに発信者の電話番号または発信者名などの発信者情報を表示するキャッチホンディスプレイと呼ばれる機能がある。この機能により、受信者は、通話中にかかってきた発信者の電話番号または発信者名などの発信者情報を知ることができ、緊急に応答する必要があるか否かを判断することができる。
【００１０】
このキャッチホンディスプレイ機能は、図７に示す通信手順で行われる。即ち、図７に示すように、通話相手と通話中に第三者である割り込み者から発呼が行われると、交換機は、端末へ発信表示音を送るとともに、割り込み者に対してリングバックトーン（ＲＢＴ）を送信する。その発信表示音を送信した後、約１秒後に情報受信端末起動音であるＤＴＭＦ（Dual Tone Multi
Frequency）信号を送信する。この情報受信端末起動音は、「Ｃ」に続き「Ｄ」を示す音により構成されるものである。交換機は、この情報受信端末起動音に続いて、ＩＴＵ−Ｔ勧告Ｖ．２３に準拠したＦＳＫ（周波数変調）信号により、発信者情報を送信する。
【００１１】
端末は、情報受信端末起動音を検出すると、Ｖ．２１規格による通信からＦＳＫ信号を受信するＩＴＵ−Ｔ勧告Ｖ．２３規格による通信に切替え、割り込み者の電話番号を受信し、その電話番号を表示器に表示する。電話番号の受信を終了すると、端末は、もとのＶ．２１規格による通信に戻る。なお、Ｖ．２３規格に設定されている間は、無音状態となる。
【００１２】
ナンバーディスプレイまたはキャッチホンディスプレイにおいて、ＦＳＫ信号により送信されるデータのフォーマットを図８示す。図８に示すように、データの先頭には、１の連続であるマークビットが形成される。このマークビットが送信される時間は６０ｍｓｅｃ以上とされている。マークビットの次には、制御信号の前に付加する透過モード用制御信号ＤＬＥ、ヘッダの開始を示す制御記号（ＳＯＨ）、交換機から端末への情報送出を示すヘッダ、次に、ＤＬＥ続いてテキストデータの開始を示す制御記号ＳＴＸ、ナンバーディスプレイを行うための、電話番号、または発信者名を示すテキストデータ、次にＤＬＥに続いてテキストデータの終了を示す制御記号ＥＴＸと誤り訂正のためのＣＲＣ（ Cyclic Redundancy
Check）が形成される。テキストデータは、サービス種別や、パラメータとその種別を示す情報などから構成されている。
【００１３】
特開平１０−２２４５８７号公報（特許文献１）には、発信者番号通知を受信し、その発信者番号をメモリに記憶するとともに、表示器に表示する装置が開示されている。
【特許文献１】特開平１０−２２４５８７号公報
【発明の開示】
【発明が解決しようとする課題】
【００１４】
しかしながら、従来の装置では、回線に瞬断（１００ｍｓｅｃ以下の短い開放）が発生するとモデム（変復調器）が正常に発信者の電話番号や発信者名などの発信者情報を受信することができない状態になるという問題点があった。
【００１５】
本発明は、上記問題点を解決するためになされたものであり、回線に瞬断が発生しても正常に発信者の発信者情報を表示することができる通信装置を提供することを目的とする。
【課題を解決するための手段】
【００１６】
この目的を達成するために、請求項１記載の通信装置は、半導体化ＤＡＡを有し回線を制御する回線インターフェイス部と、回線網を介して送受信する信号を変復調する変復調手段と、その変復調手段により変換された信号から発信者の発信者情報を取得する発信者情報取得手段と、その発信者情報取得手段により取得された前記発信者情報に応じた表示を行う表示手段とを備えたものであり、前記発信者情報の送信を通知する情報受信端末起動信号を検出する情報受信端末起動信号検出手段と、その情報受信端末起動信号検出手段により情報受信端末起動信号を検出した場合は、前記変復調手段を発信者情報を受信する発信者情報信号受信モードに設定すると共に、前記発信者情報の受信を終了した場合は、前記発信者情報信号受信モードを設定前のモードに戻す設定手段と、前記回線が閉結されている時に発生する瞬断を検出する瞬断検出手段と、前記発信者情報に相当するＦＳＫ信号に含まれるマークビットの受信中に、その瞬断検出手段により瞬断の発生が検出される場合に前記変復調手段を前記発信者情報信号受信モードに再設定する再設定手段とを備え、前記瞬断検出手段は、前記半導体化ＤＡＡに設けられ回線電流を検出する検出回路と、前記検出回路により検出される回線電流が所定時間以上継続して異常な値である場合、瞬断であると判断する判別手段とを備えている。
【００１７】
【００１８】
【００１９】
【００２０】
請求項２記載の通信装置は、請求項１記載の通信装置において、前記情報受信端末起動信号検出手段は、通話中に通話相手とは異なる第三者からの着信があった場合にその第三者の発信者情報の送信を通知する情報受信端末起動音を、前記情報受信端末起動信号として検出するものである。
【００２１】
請求項３記載の通信装置は、請求項１または２に記載の通信装置において、前記情報受信端末起動信号検出手段により情報受信端末起動信号を検出した場合に、回線閉結により一次応答信号を送出する一次応答信号送出手段と、その一次応答信号送出手段により一次応答信号を送出した時から所定の遅延時間を計時する遅延時間計時手段とを備え、前記設定手段は、前記遅延時間計時手段が遅延時間を計時した時に前記変復調手段を発信者情報を受信する発信者情報信号受信モードに設定する。
【００２２】
【００２３】
【００２４】
【００２５】
【００２６】
請求項４記載の通信装置は、請求項３記載の通信装置において、前記遅延時間を任意の時間に設定する遅延時間設定手段を備え、前記遅延時間計時手段は、前記遅延時間設定手段により設定された遅延時間を計時する。
【発明の効果】
【００２７】
請求項１記載の通信装置によれば、回線が閉結されている時に発生する瞬断を検出する瞬断検出手段と、その瞬断検出手段により瞬断であると判断された場合に変復調手段を再設定する再設定手段とを備えているので、回線に瞬断が発生した場合でも、発信者の電話番号などの発信者情報を正常に取得することができるという効果がある。
【００２８】
また、瞬断検出手段は、回線電流を検出する検出回路と、その検出回路により検出される回線電流が所定時間以上継続して異常な値である場合、瞬断であると判断する判別手段とを備えているので、変復調手段が正常に発信者情報を受信できない状態に陥る場合を検出することができる。変復調手段が復調したデジタル信号に基づいて瞬断の有無を検出する検出手段を設けた場合には、そのデジタル信号が送信される前の期間に発生した瞬断を検出することができないが、回線電流により瞬断を検出する場合は、その期間の瞬断を検出することができるので、瞬断の発生を長い期間において検出することができる。
【００２９】
【００３０】
また、発信者情報の送信を通知する情報受信端末起動信号を検出する情報受信端末起動信号検出手段と、その情報受信端末起動信号検出手段により情報受信端末起動信号を検出した場合は、変復調手段を発信者情報を受信する発信者情報信号受信モードに設定する設定手段とを備えているので、ナンバーディスプレイ機能を有する通信装置において、瞬断が発生した場合でも、発信者の電話番号または発信者名を正確に受信し、表示することができるという効果がある。
【００３１】
請求項２記載の通信装置によれば、請求項１記載の通信装置の奏する効果に加え、通話中に通話相手とは異なる第三者からの着信があった場合にその第三者の発信者情報の送信を通知する情報受信端末起動音を、前記情報受信端末起動信号として検出するので、キャッチホンディスプレイ機能を有する通信装置において、瞬断が発生した場合でも、発信者の電話番号または発信者名を正確に受信し、表示することができるという効果がある。
【００３２】
請求項３記載の通信装置によれば、請求項１または２に記載の通信装置の奏する効果に加え、情報受信端末起動信号検出手段により情報受信端末起動信号を検出した場合に、回線閉結により一次応答信号を送出する一次応答信号送出手段と、その一次応答信号送出手段により一次応答信号を送出した時から所定の遅延時間を計時する遅延時間計時手段とを備え、前記設定手段は、前記遅延時間計時手段が遅延時間を計時した時に前記変復調手段を発信者情報を受信する発信者情報信号受信モードに設定するので、閉結等による応答直後の遅延時間中に発生した瞬断により、変復調手段が、不安定な状態になるが、再設定することで発信者の電話番号などの発信者情報を正常に取得することができるという効果がある。
【００３３】
【００３４】
【００３５】
【００３６】
【００３７】
請求項４記載の通信装置によれば、請求項３記載の通信装置の奏する効果に加え、遅延時間を任意の時間に設定する遅延時間設定手段を備え、遅延時間計時手段は、遅延時間設定手段により設定された遅延時間を計時するので、通信装置を設定する場所などの環境に応じて瞬断を回避することができる。閉結を行ったときから瞬断が発生するときまでの時間は、環境に応じて異なるので、環境に応じた遅延時間の設定を行うことにより、瞬断により、変復調手段が、正常に通信を行えない状態に至ることを回避することができるという効果がある。
【発明を実施するための最良の形態】
【００３８】
以下、本発明の好ましい第１の実施形態について、添付図面を参照して説明する。図１を参照して、本発明の通信装置１の電気的構成について説明する。図１は、通信装置１の電気的構成を示すブロック図である。通信装置１は、電話、ファクシミリ、コピーなどの複数の機能を有する複合機であって、電話およびファクシミリ機能では、ナンバーディスプレイおよびキャッチホンディスプレイの機能を有し、ＣＰＵ１１、ＲＯＭ１２、フラッシュメモリ１３、ＲＡＭ１４、画像メモリ１５、タイマ１６、遅延時間設定スイッチ１７、回線Ｉ／Ｆ部１９、モデム２０、バッファ２１、スキャナ２２、符号化部２３、復号化部２４、プリンタ２５、操作パネル４、ＬＣＤ５およびアンプ２７が設けられており、これらはバスライン３０を介して互いに接続されている。
【００３９】
ＣＰＵ１１は、回線Ｉ／Ｆ部１９を介して送受信される各種信号に従って、バスライン３０に接続された各部を制御するものである。ＲＯＭ１２は、各種制御プログラムや定数などを記憶する書き換え不能なメモリであり、後述する処理を示すフローチャートに示すプログラムは、このＲＯＭ１２に記憶されている。
【００４０】
ＲＡＭ１４は、ＣＰＵ１１が制御プログラムを実行する際、一時的に各種データを記憶するメモリである。瞬断を検出する場合には、１０ｍｓｅｃ毎に電流値を検出し、３回連続して瞬断を検出した場合に、モデム２０の再設定を行うが、瞬断検出の回数を計数するカウント値ＬＣＬ＿ＣＯＵＮＴを、ＲＡＭ１４に記憶する。
【００４１】
フラッシュメモリ１３は、書き換え可能な不揮発性のメモリであり、使用者により設定された値などを記憶する。
【００４２】
タイマ１６は、遅延時間を計時するものである。ナンバーディスプレイおよびキャッチホンディスプレイの機能における発信者の電話番号または発信者名などの発信者情報を送信することを報知する情報受信端末起動信号を受信した場合は、交換機に応答を行い（ナンバーディスプレイの場合は、閉結を行い、交換機に発信者情報を受信する準備ができたことを知らせる）、その応答を行ってから所定の遅延時間後に、モデム２０を、発信者情報を受信するモードに設定する。
【００４３】
遅延時間設定スイッチ１７は、その遅延時間を設定するスイッチであり、遅延時間を、０、５０ｍｓｅｃ、１００ｍｓｅｃ、１５０ｍｓｅｃ、２００ｍｓｅｃのいずれかに設定することができる。このスイッチは、主としてサービスを行う人により設定されるように、操作パネル４とは異なる位置に設置されている。
【００４４】
画像メモリ１５は、画像データを記憶するメモリであり、受信された画像データは、この画像メモリ１５に記憶されプリンタ２５により記録紙に印刷された後、この画像メモリ１５から消去される。また、スキャナ２２により読取られた画像データもこの画像メモリ１５に記憶され、ファクシミリによる送信機能が設定されている場合には、回線Ｉ／Ｆ部１９を介して送信され、コピー機能が設定されている場合には、プリンタ２５により印刷される。
【００４５】
回線Ｉ／Ｆ部１９は、回線制御を行うものであり、半導体ＤＡＡ３３（データ  アクセス  アレンジメント）を有している（図２参照）。通信装置１は、この回線Ｉ／Ｆ部１９を介して電話回線３１に接続されている。回線Ｉ／Ｆ部１９は、交換機２９から送られる呼び出し信号や相手側装置の電話番号を示す信号などの各種信号を受信するとともに、操作パネル４上のキーの操作に応じた発信時のダイヤル信号を交換機２９へ送信する。また、回線Ｉ／Ｆ部１９は、回線に流れる電流を計測し、瞬断が発生した場合には、モデム２０を介してＣＰＵ１１に通知される。また、外付け電話端子Ｔ１、Ｔ２を介して外付け電話機３が接続される。
【００４６】
モデム２０は、画像情報および通信データを変調および復調して伝送するとともに伝送制御用の各種手順信号を送受信するためのものである。ナンバーディスプレイ機能が設定されている場合には、情報受信端末起動信号（ＣＡＲ信号）を受信するとＣＰＵ１１に通知する。ＣＰＵ１１は、その通知を受けてモデム２０をそれまで設定されていたＶ．２１規格に代わりＶ．２３規格で受信する発信者情報信号受信モード（ＦＳＫ受信モード）にモデム２０を設定する。なお、情報受信端末起動信号は、０．５秒のオフ時間をおいて、０．５秒ずつ断続的に発信される１６Ｈｚの信号である。
【００４７】
また、キャッチホンディスプレイ機能が設定されている場合にも、同様にキャッチホン信号（海外では、コールウエイティング信号という）を受信するとＣＰＵ１１に通知し、ＣＰＵ１１は、その通知を受けてモデム２０が、Ｖ．２３規格で受信する発信者情報信号受信モードにモデム２０を設定する。なお、キャッチホン信号は、ＤＴＭＦ（Dual Tone Multi
Frequency）方式により、「Ｃ」に続き「Ｄ」を示す信号を所定の時間間隔で送信されるものである。交換機は、このキャッチホン信号を端末に送信し、所定時間後にＶ．２３規格で発信者情報を端末に送信する。
【００４８】
また、海外では、このＤＴＭＦ方式により、発信者の電話番号または発信者名を通知する場合もあり、モデム２０は、ＤＴＭＦ方式により受信したトーン信号を、数字またはアルファベットを表す符号に復調し、ＣＰＵ１１に出力する。
【００４９】
ＦＳＫ信号を受信する場合は、モデム２０は、交換機から送られてくるＦＳＫ信号をデジタル信号に復調し、ＣＰＵ１１に出力する。ＣＰＵ１１は、ＦＳＫ信号の受信を終了した場合、モデム２０をＶ．２１規格により受信を行うように設定する。
【００５０】
バッファ２１は、相手側装置との間で送受信される符号化された画像情報を含むデータを一時的に記憶するものである。スキャナ２２は、原稿挿入口８に挿入された原稿またはプラテンガラスに載置された原稿の画像を読取るものであり、符号化部２３は、スキャナ２２により読取られた画像データを符号化するものである。復号化部２４は、バッファ２１または画像メモリ１５に記憶された画像データを読出して復号化するもので、復号化されたデータは、プリンタ２５により記録紙に印刷される。
【００５１】
プリンタ２５は、インクジェット方式のプリンタで構成され画像データに基づいて記録紙に印刷を行うものである。アンプ２７は、呼び出し音や音声の電気信号を増幅するもので、接続されたスピーカ２８を駆動するものである。
【００５２】
このように構成された通信装置１は、回線Ｉ／Ｆ部１９を介して電話回線３１に接続され、電話回線３１は、交換機２９に接続されている。この交換機２９は、電話回線３２を介して他の交換機に接続され、他の交換機は、更に他の電話回線を介して相手側装置や送信先となる他の装置に接続されている。
【００５３】
次に、図２を参照して回線Ｉ／Ｆ部１９について説明する。図３は、回線Ｉ／Ｆ部１９の構成を示すブロック図である。回線Ｉ／Ｆ部１９は、半導体ＤＡＡ３３と、電話とファクシミリとを切り替えるＣＭＬ（Connect MODEM to Line）リレー３６と、整流ブリッジ３７と、直流ループカット用コンデンサ３８ａ、３８ｂ、３８ｃ、３８ｄと、トランジスタ４５と、発振検出回路５０等が設けられている。なお、Ｌ１、Ｌ２は、電話回線３１側への端子であり、Ｔ１、Ｔ２は、外付け電話３へ接続される端子である。
【００５４】
半導体ＤＡＡ３３とモデム２０とは、直流的に絶縁し、かつデータ・信号などを伝達する絶縁部３５とモデム２０から半導体ＤＡＡ３３へ電力を供給するトランス４６が接続されている。
【００５５】
半導体ＤＡＡ３３は、ハイブリッドネットワーク４４と、ＣＯＤＥＣ４０と、リング検出回路３９と、送信アンプ４２と、トーンアンプ４３と、シリアルＩ／Ｆ４１と、電流検出回路３４とを備えている。
【００５６】
ハイブリッドネットワーク４４は、回線網の開放または閉結を行うものであり、電話回線３１からのファクシミリデータを送信受信に分離する２線−４線変換回路、送信データの受信経路への回り込みを抑制するキャンセラー回路およびフィルタ回路等から構成される。このハイブリッドネットワーク４４には、回線網の整流ブリッジ３７の正極とコンデンサーと抵抗を介して接続され、ＣＯＤＥＣ４０とは、送信アンプ４２を介して接続され、トランジスタ４５のベースと、またシリアルＩ／Ｆ４１と接続されている。
【００５７】
ＣＯＤＥＣ４０は、ファクシミリの受信データおよび送信データのＡ／Ｄ変換およびＤ／Ａ変換を行うもので、回路網および外付け電話とはトーンアンプ４３を介して接続され、ハイブリッドネットワーク４４とは、送信アンプ４２を介して接続されている。
【００５８】
送信アンプ４２は、送信データのゲイン調整を行うものであり、トーンアンプ４３は、差動型の増幅器であり、電話回線３１端子Ｌ１、Ｌ２に対し、差動入力になっている。
【００５９】
ＣＯＤＥＣ４０に電話回線３１または外付け電話３からトーン信号が到来すると、トーンアンプ４３→ＣＯＤＥＣ４０→シリアルＩ／Ｆ４１→絶縁部３５→モデム２０の順に伝達され、ＣＯＤＥＣ４０から送信されるトーン検出信号がＣＰＵ１１に入力される。
【００６０】
リング検出回路３９は、回路網および外付け電話３とコンデンサ３８ａ、３８ｂを介して接続され、リング検出回路の出力は、シリアルＩ／Ｆ４１に接続されている。リング検出回路３９に電話回線３１からリング信号が到来すると、リング検出回路３９は、これを検出し、リング検出信号をシリアルＩ／Ｆ４１へ出力する。
【００６１】
シリアルＩ／Ｆ４１は、リング検出回路３９から入力したリング検出信号やＣＯＤＥＣ４０から入力したファクシミリの受信データをシリアル信号に変換してコンデンサ３５ｂを介してモデム２０へ送信する一方、電話回線３１の閉結、開放を行う制御信号およびファクシミリの送信データをモデム２０からコンデンサ３５ａを介して入力し、それぞれに分配するものである。電流検出回路３４は、整流ブリッジ３７と抵抗を介して接続され、電話回線３１の回線電流を検出するものである。この検出された電流値は、１０ｍｓｅｃ毎にデジタル値に変換されＣＰＵ１１により読み取られる。
【００６２】
トランジスタ４５は、電流検出回路３４により検出される回線電流に基づいて、回線が規格により定められた電圧電流特性となるように、調整するものであり、トランジスタ４５のベース電位を変化することにより、回線のインピーダンスを調整することができる。
【００６３】
次に、図３および図４を参照して上記のように構成された通信装置１において、ナンバーディスプレイまたはキャッチホンディスプレイ機能が設定されている場合のＣＰＵ１１において実行される処理について説明する。図３は、ＣＰＵ１１において実行されるメイン処理を示すフローチャートである。
【００６４】
まず、通話中であるか否かを判断し（Ｓ１）、通話中でなければ（Ｓ１：Ｎｏ）、情報受信端末起動信号を検出したか否かを判断する（Ｓ２）。情報受信端末起動信号を検出した場合は（Ｓ２：Ｙｅｓ）、回線を閉結するとともにタイマ１６が遅延時間を計時するように設定する（Ｓ３）。交換機は、回線が閉結されことにより端末が情報受信端末起動信号を受信したことを認識し、次に、Ｖ．２３により送信者情報をＦＳＫで送信する。
【００６５】
次にＩＤ受信処理を行う（Ｓ４）。このＩＤ受信処理は、発信者の電話番号または発信者名を受信し表示する処理であり、この処理については、図４を参照して後述する。ＩＤ受信処理により発信者の電話番号または発信者名を表示した場合は、つぎに呼出信号を受信したか否かを判断する（Ｓ５）。この呼出信号は、２秒のオフ時間をおいて１秒ずつ断続的に発信される１６Ｈｚの信号であり、先に説明した情報受信端末起動信号とは、発信パターンが異なっている。
【００６６】
呼出信号を受信していない場合は（Ｓ５：Ｎｏ）、は待機状態とし、呼出信号を受信した場合は（Ｓ５：Ｙｅｓ）通常の通信手順を実行する（Ｓ６）。通常の手順を実行した場合、またはＳ２の判断処理において、情報受信端末起動信号を受信してない場合は、Ｓ１の処理に戻る。
【００６７】
一方、Ｓ１の判断処理において、通話中である場合は（Ｓ１：Ｎｏ）、キャッチホンの通知である情報受信端末起動音を検出したか否かを判断し（Ｓ７）、情報受信端末起動音を検出した場合は（Ｓ７：Ｙｅｓ）、タイマ１６が遅延時間を計時するように設定する（Ｓ８）。次に、Ｓ４の処理と同じＩＤ受信処理を行い（Ｓ９）、ＩＤ受信処理を行った場合、または、情報受信端末起動音を検出しない場合は、Ｓ１の処理に戻る。
【００６８】
次に、図４を参照して、ＩＤ受信処理について説明する。図４は、ＩＤ受信処理を示すフローチャートである。このＩＤ受信処理では、まず、タイマ１６が遅延時間を経過したか否かを判断する（Ｓ１０）。この遅延時間は、遅延時間設定スイッチ１７により設定された時間である。遅延時間が計時されない場合は（Ｓ１０：Ｎｏ）、待機し、遅延時間が経過した場合は（Ｓ１０：Ｙｅｓ）、モデム２０を、Ｖ．２１規格からＶ．２３規格で受信する発信者情報信号受信モードに切り替え設定を行う（Ｓ１１）。次に回線において、瞬断が発生したか否かを判断する。この瞬断が発生したか否かは、回線Ｉ／Ｆ部１９において検出される回線電流の値を、１０ｍｓｅｃごとにポーリングし、３回連続して、異常な値を検出した場合は、瞬断として判断する。
【００６９】
そのために、まず、ＲＡＭ１４に記憶するカウント値ＬＣＬ＿ＣＯＵＮＴを０にする（Ｓ１２）。次に、電流検出回路３４の出力により瞬断検出ありか否かを判断する（Ｓ１３）。瞬断検出ありの場合は（Ｓ１３：Ｙｅｓ）、カウント値ＬＣＬ＿ＣＯＵＮＴに１加算する（Ｓ１４）。次に、カウント値ＬＣＬ＿ＣＯＵＮＴの値が２より大きいか否かを判断し（Ｓ１５）、２より大きい場合は（Ｓ１５：Ｙｅｓ）、瞬断を３回連続して検出したことになるので、Ｓ１１の処理に戻り、モデム２０をＶ．２３規格で受信する発信者情報信号受信モードに再設定を行う。このことにより、３０ｍｓｅｃ以上の瞬断が発生した場合に、モデム２０が正常に発信者情報を受信できない状態に至った場合でも、モデム２０を正常な状態に復帰することができる。
【００７０】
Ｓ１３の判断処理において、瞬断検出ありではない場合は（Ｓ１３：Ｎｏ）、カウント値ＬＣＬ＿ＣＯＵＮＴを０にする（Ｓ１６）。Ｓ１６の処理を終了した場合、またはＳ１５の判断処理においてカウント値ＬＣＬ＿ＣＯＵＮＴの値が２より大きくない場合は（Ｓ１５：Ｎｏ）、１０ｍｓｅｃ待機し（Ｓ１７）、モデム２０が変調信号であるＦＳＫの受信を開始したか否かを判断する（Ｓ１８）。
【００７１】
変調信号を検出しない場合は（Ｓ１８：Ｎｏ）、Ｓ１３の処理に戻り、変調信号を検出した場合は（Ｓ１８：Ｙｅｓ）、カウント値ＬＣＬ＿ＣＯＵＮＴを０とし（Ｓ２１）、変調信号がマークビットであるか否かを検出する（Ｓ２２）。
【００７２】
次に、電流検出回路３４の出力により瞬断検出ありか否かを判断する（Ｓ２３）。瞬断検出ありの場合は（Ｓ２３：Ｙｅｓ）、カウント値ＬＣＬ＿ＣＯＵＮＴに１加算する（Ｓ２４）。次に、カウント値ＬＣＬ＿ＣＯＵＮＴの値が２より大きいか否かを判断し（Ｓ２５）、２より大きい場合は（Ｓ２５：Ｙｅｓ）、瞬断を３回連続して検出したことになるので、モデム２０をＶ．２３規格で受信する発信者情報信号受信モードに再設定を行う（Ｓ２６）。このことにより、３０ｍｓｅｃ以上の瞬断が発生した場合に、モデム２０が正常に発信者情報を受信できない状態に至った場合でも、モデム２０を正常な状態に復帰することができる。Ｓ２６の処理の後、カウント値ＬＣＬ＿ＣＯＵＮＴを０とし（Ｓ２７）、Ｓ２２の処理に戻る。
【００７３】
Ｓ２３の判断処理において、瞬断検出ありではない場合は（Ｓ２３：Ｎｏ）、カウント値ＬＣＬ＿ＣＯＵＮＴを０にする（Ｓ２８）。Ｓ２５の判断処理でカウント値ＬＣＬ＿ＣＯＵＮＴの値が２より大きくない場合（Ｓ２５：Ｎｏ）、およびＳ２８の処理を終了した場合は、１０ｍｓｅｃ待機した後Ｓ２２の処理に戻る。
【００７４】
Ｓ２２の判断処理において、マークビットの検出中ではない場合は（Ｓ２２：Ｎｏ）、マークビットに続くデータから発信者情報を受信し（Ｓ３１）、受信を終了したか否かを判断する（Ｓ３２）。受信データ中のテキストデータの終了を示す制御記号（ＥＴＸ）とそれに続くＣＲＣとを受信すると、発信者情報の受信を終了したものと判断する。発信者情報の受信を終了していない場合は（Ｓ３２：Ｎｏ）、受信を継続し、発信者情報の受信を終了した場合は（Ｓ３２：Ｙｅｓ）、モデム２０を、Ｖ．２１規格により通信を行うように設定する（Ｓ３３）。
【００７５】
次に、正常に発信者情報である電話番号または発信者名を受信したか否かを判断し（Ｓ３４）、正常に受信した場合は（Ｓ３４：Ｙｅｓ）、その電話番号または発信者名をＬＣＤ５に表示する（Ｓ３５）。一方、発信者の電話番号または発信者名を正常に受信しなかった場合は（Ｓ３４：Ｎｏ）、ＬＣＤ５に「チャクシンアリ」などと表示する（Ｓ３６）。なお、発信者の電話番号または発信者名を示すテキストデータの受信中に瞬断が発生した場合などでは、発信者の電話番号または発信者名を正常に受信できない。Ｓ３５またＳ３６において、ＬＣＤ５に表示を行った後、このＩＤ受信処理を終了する。
【００７６】
以上説明したように、上記第１の実施形態によれば、ナンバーディスプレイ機能またはキャッチホンディスプレイ機能を有する通信装置１において、瞬断を検出した場合は、モデム２０の再設定を行うので、瞬断によりモデム２０の機能が正常に発信者情報を受信できない状態になった場合でも正常な状態に復帰できるので、発信者の電話番号または発信者名を正確に取得することができる。また、発信者情報の通知を行う情報受信端末起動信号を受信し、その信号に対する応答を行ってから所定の遅延時間後に、モデム２０を受信者情報受信モードに設定するので、遅延時間中に瞬断が発生しても、その後に送信される発信者情報を、正常な状態で受信し表示することができる。
【００７７】
次に、図５を参照して第２の実施形態について説明する。第１の実施形態では、電流検出回路３４により瞬断を検出し、瞬断が３０ｍｓｅｃ以上継続した場合に、モデム２０を再設定するものとしたが、第２の実施形態では、ＦＳＫの変調信号の受信を開始した以降に、復調したデジタル値が正常であるか否かを判断し、正常ではない場合にモデム２０を再設定するものであり、  図５は、このＩＤ受信処理（２）を示すフローチャートである。なお、このＩＤ受信処理（２）は、第１の実施形態におけるＩＤ受信処理（１）である図４に示すフローチャートの処理を置き換えたものであって、その他の構成や処理は、第１の実施形態と同一である。
【００７８】
このＩＤ受信処理（２）では、まず、タイマ１６が計時する時間が、Ｓ３またはＳ８の処理において設定された所定の遅延時間を経過した否かを判断する（Ｓ４１）。遅延時間が経過していない場合は（Ｓ４１：Ｎｏ）待機し、遅延時間が経過した場合は（Ｓ４１：Ｙｅｓ）、モデム２０を、Ｖ．２１規格からＶ．２３規格で受信する発信者情報信号受信モードに切り替え設定を行う（Ｓ４２）。
【００７９】
次に、モデム２０が変調信号であるＦＳＫの受信を開始したか否かを判断する（Ｓ４３）。変調信号を検出しない場合は（Ｓ４３：Ｎｏ）待機し、変調信号を検出した場合は（Ｓ４３：Ｙｅｓ）、変調信号がマークビットであるか否かを検出する（Ｓ４４）。上述の通りマークビットは、１の連続であるので、０を検出した場合は、マークビットではないと判断する。マークビットを検出している場合は（Ｓ４４：Ｙｅｓ）待機し、マークビットではない場合は（Ｓ４４：Ｎｏ）、その信号がＤＬＥ（透過モード用制御信号）であるか否かを判断する（Ｓ４５）。
【００８０】
その信号がＤＬＥではない場合は（Ｓ４５：Ｎｏ）、瞬断によりモデム２０が正常に情報を受信できない状態になったものとし、Ｓ４２の処理に戻りモデム２０をＶ．２３規格で受信するように再設定を行う。このことにより、モデム２０を通信が正常に行える状態に復帰することができる。
【００８１】
Ｓ４５の判断処理において、ＤＬＥを検出した場合は（Ｓ４５：Ｙｅｓ）、ＤＬＥに続くデータから発信者情報を受信し（Ｓ４６）、受信を終了したか否かを判断する（Ｓ４７）。受信データ中のテキストデータの終了を示す制御記号（ＥＴＸ）とそれに続くＣＲＣとを受信すると、発信者情報の受信を終了したものと判断する。発信者情報の受信を終了していない場合は（Ｓ４７：Ｎｏ）、受信を継続し、発信者情報の受信を終了した場合は（Ｓ４７：Ｙｅｓ）、モデム２０を、Ｖ．２１規格により通信を行うように切替設定する（Ｓ４８）。
【００８２】
次に、正常に発信者情報である電話番号または発信者名を受信したか否かを判断し（Ｓ４９）、正常に受信した場合は（Ｓ４９：Ｙｅｓ）、その電話番号または発信者名をＬＣＤ５に表示する（Ｓ５０）。一方、発信者の電話番号または発信者名を正常に受信しなかった場合は（Ｓ４９：Ｎｏ）、ＬＣＤ５に「チャクシンアリ」などと表示する（Ｓ５１）。なお、発信者の電話番号または発信者名を示すテキストデータの受信中に瞬断が発生した場合などでは、発信者の電話番号または発信者名を正常に受信できない。Ｓ５０またＳ５１において、ＬＣＤ５に表示を行った後、このＩＤ受信処理（２）を終了する。
【００８３】
以上、第２の実施形態について説明したように、ナンバーディスプレイ機能またはキャッチホンディスプレイ機能を有する通信装置１において、モデム２０が変調信号を受信する際に、その変調信号を復調したデジタル信号が正しいデータであるかを判断することによりモデム２０が、正常にデータを受信しているかを検出し、正常ではない場合に、モデム２０の再設定を行う。
【００８４】
よって、瞬断によりモデム２０の機能が正常に発信者情報を受信できない状態になった場合でも正常な状態に復帰できるので、発信者の電話番号または発信者名を正確に取得することができる。
【００８５】
なお、請求項に記載の瞬断検出手段は、図４に示すフローチャートのＳ１３，Ｓ１５の処理が該当し、再設定手段は、図４に示すフローチャートのＳ１１とＳ２６の処理および図５に示すフローチャートのＳ４２の処理が該当し、情報受信端末起動信号検出手段は、図３に示すフローチャートのＳ２の処理が該当し、情報受信端末起動音検出手段は、図３に示すフローチャートのＳ７の処理が該当し、信号データ検出手段は、図５に示すフローチャートのＳ４４およびＳ４５の処理が該当する。
【００８６】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００８７】
例えば、上記実施形態では、通信装置１は、電話、ファクシミリ、コピーなどの複数の機能を有する複合機としたが、ファクシミリ、コピー、電話などの通信のいずれかを行う単機能の通信装置であってもよい。
【００８８】
また、上記実施形態では、日本の電話システムにおける通信形態に基づいて説明したが、海外における電話システムにも適用できるものである。
【００８９】
また、上記実施形態では、遅延時間を設定する遅延時間設定スイッチ１７は、複数の遅延時間の中からいずれかの遅延時間を選択することができるスイッチとしたが、ボリュームなどのように連続的に値を設定することができるものでもよい。
【００９０】
また、上記第１の実施形態では、回線電流を検出することにより瞬断の検出を行い、第２の実施形態では、モデム２０が復調した信号により、モデム２０が正常に受信しているか否かを判断するものとしたが、回線電流を検出することにより瞬断を検出するとともに、モデム２０が復調した信号により、モデム２０が正常に受信しているか否かを判断し、いずれの場合でも、モデム２０を再設定するようにしてもよい。
【図面の簡単な説明】
【００９１】
【図１】本発明の第１の実施形態における通信装置の電気的構成を示すブロック図である。
【図２】回線Ｉ／Ｆの構成を示すブロック図である。
【図３】受信処理を示すフローチャートである。
【図４】ＩＤ受信処理を示すフローチャートである。
【図５】第２の実施形態におけるＩＤ受信処理を示すフローチャートである。
【図６】ナンバーディスプレイサービスにおける着信手順を示す説明図である。
【図７】キャッチホンディスプレイサービスにおける着信手順を示す説明図である。
【図８】発信者情報のデータフォーマットを示すデータフォーマット図である。
【符号の説明】
【００９２】
１              通信装置
１１            ＣＰＵ
１２            ＲＯＭ
１４            ＲＡＭ
１６            タイマ（遅延時間計時手段）
２０            モデム（変復調手段）
３３            半導体ＤＡＡ
３４            電流検出回路
【図１】
0004438742.tif 000002
【図２】
0004438742.tif 000003
【図３】
0004438742.tif 000004
【図４】
0004438742.tif 000005
【図５】
0004438742.tif 000006
【図６】
0004438742.tif 000007
【図７】
0004438742.tif 000008
【図８】
0004438742.tif 000009